【手続補正書】
【提出日】令和3年1月8日(2021.1.8)
【手続補正１】
【補正対象書類名】特許請求の範囲
【補正対象項目名】全文
【補正方法】変更
【補正の内容】
【特許請求の範囲】
【請求項１】
密封して収容された回路と、
前記回路に電力を供給し、密封して収容された電力要素と、を含む植込み型医療機器。
【請求項２】
前記回路が刺激回路を含み、
任意選択で、前記刺激回路が、睡眠呼吸障害を治療するようにプログラムされている、請求項１に記載の植込み型医療機器。
【請求項３】
前記密封して収容された電力要素は、前記密封して収容された回路とは別個に独立して密封して収容され、
任意選択で、前記電力要素および前記回路が、単一の密封容器の少なくとも一部として一緒に密封して収容される、請求項１に記載の植込み型医療機器。
【請求項４】
前記回路に対して前記電力要素を選択的に動作可能に連結するために、前記回路および前記電力要素の少なくとも一方に関連付けられた第１の連結要素を含む、請求項１に記載の植込み型医療機器。
【請求項５】
前記回路を密封して収容するための第１のハウジング部分を有し、
前記電力要素が、第１のハウジング部分に対して前記第１の連結要素を介して少なくとも機械的に接続される、請求項４に記載の植込み型医療機器。
【請求項６】
前記電力要素を密封して収容するための第２のハウジング部分を有し、
前記第１のハウジング部分が、前記第１の連結要素を介して前記第２のハウジングに少なくとも機械的に接続可能であり、
前記電力要素の外壁は、前記第２のハウジング部分を画定する、請求項５に記載の植込み型医療機器。
【請求項７】
前記第２のハウジング部分は、前記第１のハウジング部分に対して取り外し可能に接続可能である、請求項６に記載の植込み型医療機器。
【請求項８】
前記外壁が、組織に対して直接露出可能であること、
前記外壁の少なくとも一部が、刺激電極アレイの電極を画定すること、
前記第１の連結要素が、前記電力要素と前記回路要素とを互いに対して電気的および機械的に接続するために、第２の部分に対して取り外し可能、摺動可能に挿入可能な第１の部分を含むこと、の少なくとも１つを含んでいる、請求項６に記載の植込み型医療機器。
【請求項９】
第１の刺激電極を含む刺激電極アレイを含む、請求項１に記載の植込み型医療機器。
【請求項１０】
前記アレイは、前記第１の刺激電極から離間した少なくとも１つの第２の刺激電極を含む、請求項９に記載の植込み型医療機器。
【請求項１１】
前記第１の刺激電極は、前記それぞれの回路および電力要素のうちの少なくとも１つに関連付けられたハウジングに配置される、請求項１０に記載の植込み型医療機器。
【請求項１２】
前記電力要素の前記ハウジングに配置された前記第１の刺激電極は、前記電力要素の前記ハウジングの外面と前記電力要素の外壁との両方を画定し、
前記外壁は患者の体内で組織に直接露出可能である、請求項１１に記載の植込み型医療機器。
【請求項１３】
前記少なくとも１つの第２の刺激電極は、前記ハウジングから分離して独立して配置され、
任意選択で、前記少なくとも１つの第２の刺激電極は、前記第１の刺激電極と前記少なくとも１つの第２の刺激電極との間に介在組織を配置する距離だけ離間している、請求項１１に記載の植込み型医療機器。
【請求項１４】
前記回路要素から延在し、前記少なくとも１つの第２の刺激電極を前記第１の刺激電極から離れて配置するために、前記第２の刺激電極が配置される第１の部分を含むリード線を含む、請求項１０に記載の植込み型医療機器。
【請求項１５】
前記少なくとも１つの第２の刺激電極がソース電極を備え、
前記第１の刺激電極がリターン刺激電極を備える、請求項１０に記載の植込み型医療機器。
【手続補正２】
【補正対象書類名】明細書
【補正対象項目名】００５６
【補正方法】変更
【補正の内容】
【００５６】
本明細書では特定の例を図示および説明したが、本開示の範囲から逸脱することなく、様々な代替および／または同等の実施が、図示および説明した特定の例の代わりになり得ることを、当業者は理解するであろう。本願は、本明細書で説明した特定の例のあらゆる適応または変形を網羅することを意図している。
［請求項１］
密封して収容された回路と、
前記回路に電力を供給し、密封して収容された電力要素と、を含む植込み型医療機器。
［請求項２］
前記回路が刺激回路を含む、請求項１に記載の植込み型医療機器。
［請求項３］
前記刺激回路は、睡眠呼吸障害を治療するようにプログラムされている、請求項２に記載の植込み型医療機器。
［請求項４］
前記密封して収容された電力要素は、前記密封して収容された回路とは別個に独立して密封して収容される、請求項１に記載の植込み型医療機器。
［請求項５］
前記電力要素および前記回路は、単一の密封容器の少なくとも一部として一緒に密封して収容される、請求項４に記載の植込み型医療機器。
［請求項６］
前記回路に対して前記電力要素を選択的に動作可能に連結するために、前記回路および前記電力要素の少なくとも一方に関連付けられた第１の連結要素を含む、請求項１に記載の植込み型医療機器。
［請求項７］
前記回路を密封して収容するための第１のハウジング部分を有し、
前記電力要素が、第１のハウジング部分に対して前記第１の連結要素を介して少なくとも機械的に接続される、請求項６に記載の植込み型医療機器。
［請求項８］
前記電力要素を密封して収容するための第２のハウジング部分を有し、
前記第１のハウジング部分が、前記第１の連結要素を介して前記第２のハウジングに少なくとも機械的に接続可能であり、
前記電力要素の外壁は、前記第２のハウジング部分を画定する、請求項７に記載の植込み型医療機器。
［請求項９］
前記第２のハウジング部分は、前記第１のハウジング部分に対して取り外し可能に接続可能である、請求項８に記載の植込み型医療機器。
［請求項１０］
前記外壁は、組織に対して直接露出可能である、請求項８に記載の植込み型医療機器。
［請求項１１］
前記外壁の少なくとも一部は、刺激電極アレイの電極を画定する、請求項８に記載の植込み型医療機器。
［請求項１２］
前記第１の連結要素は、前記電力要素と前記回路要素とを互いに対して電気的および機械的に接続するために、第２の部分に対して取り外し可能、摺動可能に挿入可能な第１の部分を含む、請求項６に記載の植込み型医療機器。
［請求項１３］
第１の刺激電極を含む刺激電極アレイを含む、請求項１に記載の植込み型医療機器。
［請求項１４］
前記アレイは、前記第１の刺激電極から離間した少なくとも１つの第２の刺激電極を含む、請求項１３に記載の植込み型医療機器。
［請求項１５］
前記第１の刺激電極は、前記それぞれの回路および電力要素のうちの少なくとも１つに関連付けられたハウジングに配置される、請求項１４に記載の植込み型医療機器。
［請求項１６］
前記電力要素の前記ハウジングに配置された前記第１の刺激電極は、前記電力要素の前記ハウジングの外面と前記電力要素の外壁との両方を画定し、
前記外壁は患者の体内で組織に直接露出可能である、請求項１５に記載の植込み型医療機器。
［請求項１７］
前記少なくとも１つの第２の刺激電極は、前記ハウジングから分離して独立して配置されている、請求項１５に記載の植込み型医療機器。
［請求項１８］
前記少なくとも１つの第２の刺激電極は、前記第１の刺激電極と前記少なくとも１つの第２の刺激電極との間に介在組織を配置する距離だけ離間している、請求項１７に記載の植込み型医療機器。
［請求項１９］
前記回路要素から延在し、前記少なくとも１つの第２の刺激電極を前記第１の刺激電極から離れて配置するために、前記第２の刺激電極が配置される第１の部分を含むリード線を含む、請求項１４に記載の植込み型医療機器。
［請求項２０］
前記少なくとも１つの第２の刺激電極がソース電極を備え、
前記第１の刺激電極がリターン刺激電極を備える、請求項１４に記載の植込み型医療機器。
［請求項２１］
密封して収容された回路と、
前記回路に電力を供給し、密封して収容された電力要素と、を含む植込み型医療機器。
［請求項２２］
前記回路が刺激回路を含む、請求項２１に記載の植込み型医療機器。
［請求項２３］
前記刺激回路が、睡眠呼吸障害を治療するようにプログラムされている、請求項２２に記載の植込み型医療機器。
［請求項２４］
前記密封して収容された電力要素は、前記密封して収容された回路とは別個に独立して密封して収容される、請求項２１に記載の植込み型医療機器。
［請求項２５］
前記電力要素および前記回路は、単一の密封容器の少なくとも一部として一緒に密封して収容される、請求項２４に記載の植込み型医療機器。
［請求項２６］
前記電力要素および前記回路要素は、互いに対して動作可能に連結可能である、請求項２１に記載の植込み型医療機器。
［請求項２７］
前記密封して収容された電力要素および前記密封して収容された回路は、互いに対して動作可能に連結可能である、請求項２６に記載の植込み型医療機器。
［請求項２８］
前記回路に対して前記電力要素を選択的に動作可能に連結するために、前記回路および前記電力要素の少なくとも一方に関連付けられた第１の連結要素を含む、請求項２６に記載の植込み型医療機器。
［請求項２９］
前記第１の連結要素は、前記電力要素と回路とを互いに電気的に接続する、請求項２８に記載の植込み型医療機器。
［請求項３０］
前記第１の連結要素は、前記電力要素と回路とを互いに対して機械的に接続する、請求項２９に記載の植込み型医療機器。
［請求項３１］
前記回路を密封して収容するための第１のハウジング部分を有し、
前記電力要素が、第１のハウジング部分に対して前記第１の連結要素を介して少なくとも機械的に接続される、請求項２８に記載の植込み型医療機器。
［請求項３２］
前記電力要素を密封して収容するための第２のハウジング部分を有し、
前記第１のハウジング部分が、前記第１の連結要素を介して前記第２のハウジングに少なくとも機械的に接続可能であり、
前記電力要素の外壁は、前記第２のハウジング部分を画定する、請求項３１に記載の植込み型医療機器。
［請求項３３］
前記外壁は、組織に対して直接露出可能である、請求項３２に記載の植込み型医療機器。
［請求項３４］
前記第１の連結要素は、前記電力要素と前記回路要素との間に単一のフィードスルーを備える、請求項２８に記載の植込み型医療機器。
［請求項３５］
前記第１の連結要素は、第２の部分に対して取り外し可能に接続可能な第１の部分を含む、請求項２８に記載の植込み型医療機器。
［請求項３６］
前記第１の部分は、前記第２の部分に対して取り外し可能に摺動可能に挿入可能であって、前記電力要素と前記回路要素とを互いに電気的および機械的に接続する、請求項３５に記載の植込み型医療機器。
［請求項３７］
前記第１の連結要素の少なくとも機械的部分から分離し、独立している第２の連結要素を含む、請求項２７に記載の植込み型医療機器。
［請求項３８］
電力要素および回路要素のそれぞれのハウジングが略円筒形状を備え、
前記第１の連結要素が中心軸部分に位置し、
前記第２の連結要素の少なくとも前記機械的部分が前記電力要素および回路要素の前記ハウジングの外面に位置する、請求項３７に記載の植込み型医療機器。
［請求項３９］
前記動作可能に連結することは溶接がなされていない、請求項２６に記載の植込み型医療機器。
［請求項４０］
第１の刺激電極を含む刺激電極アレイを含む、請求項２１に記載の植込み型医療機器。
［請求項４１］
前記アレイは、前記第１の刺激電極から離間した少なくとも１つの第２の刺激電極を含む、請求項４０に記載の植込み型医療機器。
［請求項４２］
前記第１の刺激電極は、前記それぞれの回路要素および電力要素のうちの少なくとも１つに関連付けられたハウジングに配置される、請求項４１に記載の植込み型医療機器。
［請求項４３］
前記少なくとも１つの第２の刺激電極は、前記ハウジングから分離して独立して配置されている、請求項４２に記載の植込み型医療機器。
［請求項４４］
前記少なくとも１つの第２の刺激電極は、前記第１の刺激電極と前記少なくとも１つの第２の刺激電極との間に介在組織を配置する距離だけ離間している、請求項４３に記載の植込み型医療機器。
［請求項４５］
前記回路要素から延在し、前記少なくとも１つの第２の刺激電極を前記第１の刺激電極から離れて配置するために、前記第２の刺激電極が配置される第１の部分を含むリード線を含む、請求項４１に記載の植込み型医療機器。
［請求項４６］
前記リード線は、前記リード線の前記第１の部分から離間し、前記第１の刺激電極が配置される第２の部分を含む、請求項４５に記載の植込み型医療機器。
［請求項４７］
前記それぞれの回路および電力要素のそれぞれは、非導電性外面を含む、請求項４６に記載の植込み型医療機器。
［請求項４８］
前記第１の部分は、前記リード線の遠位部分を含む、請求項４５に記載の植込み型医療機器。
［請求項４９］
前記リード線は、前記第１の刺激電極を非頭頸部領域に配置しながら前記少なくとも１つの第２の刺激電極を頭頸部領域に配置する長さを有する、請求項４５に記載の植込み型医療機器。
［請求項５０］
前記少なくとも１つの第２の刺激電極は、ソース電極を備える、請求項４１に記載の植込み型医療機器。
［請求項５１］
前記第１の刺激電極は、リターン刺激電極を含む、請求項５０に記載の植込み型医療機器。
［請求項５２］
前記第１の刺激電極はアノードを備え、
前記少なくとも１つの第２の刺激電極はカソードを備える、請求項５０に記載の植込み型医療機器。
［請求項５３］
前記リード線は、前記回路要素に対して動作可能に連結された近位端部を含む、請求項５４に記載の植込み型医療機器。
［請求項５４］
前記リード線の前記近位端部は、前記回路要素に対して電気的および機械的に永続的に接続される、請求項５３に記載の植込み型医療機器。
［請求項５５］
回路要素は、前記リード線の前記近位端部が電気的および機械的に取り外し可能に接続可能なポートを含むハウジングを備える、請求項５３に記載の植込み型医療機器。
［請求項５６］
前記少なくとも１つの第２の刺激電極は、刺激される神経に隣接して配置可能である、請求項４１に記載の植込み型医療機器。
［請求項５７］
前記神経は、上気道開通関連神経である、請求項５６に記載の植込み型医療機器。
［請求項５８］
前記神経に刺激フェーズを適用するための、前記少なくとも１つの第２の刺激電極と前記第１の刺激電極との間の第１の極性電圧と、
前記神経に再充電フェーズを適用するための、前記少なくとも１つの第２の刺激電極と前記第１の刺激電極との間の第２の反対極性電圧と
を前記回路要素が連続して適用する、請求項４１に記載の植込み型医療機器。
［請求項５９］
前記第１の極性電圧は負の電圧であって、
前記第２の反対極性電圧は正の電圧である、請求項５８に記載の植込み型医療機器。
［請求項６０］
前記第１の極性電圧および前記第２の反対極性電圧の繰り返し連続印加を引き起こすための回路要素を備える、請求項５８に記載の植込み型医療機器。
［請求項６１］
前記再充電フェーズの間、前記第２の反対極性電圧の振幅は前記第１の極性電圧の振幅より小さく、第２の反対極性電圧の印加の持続時間は前記第１の極性電圧の印加の持続時間より長い、請求項５８に記載の植込み型医療機器。
［請求項６２］
前記回路が、
第１のコンデンサを選択的に充電する第１の極性電源と、
第２のコンデンサを選択的に充電する第２の反対極性電源と、を含み、
前記第１のコンデンサは、前記刺激フェーズを実施するために、前記少なくとも１つの第２の電極に接続可能なソース刺激出力に対して選択的に放電され、
前記第２のコンデンサは、再充電フェーズを実施するために、前記少なくとも１つの第２の電極に接続可能なソース刺激出力に対して選択的に放電される、請求項４１に記載の植込み型医療機器。
［請求項６３］
前記神経に刺激フェーズを適用するための、前記少なくとも１つの第２の刺激電極と前記第１の刺激電極との間の第１の極性電流と、
前記神経に再充電フェーズを適用するための、前記少なくとも１つの第２の刺激電極と前記第１の刺激電極との間の第２の反対極性電流と
を前記回路要素が連続して適用する、請求項４１に記載の植込み型医療機器。
［請求項６４］
前記第１の極性電流は負の電流であって、
前記第２の反対極性電流は正の電流である、請求項５８に記載の植込み型医療機器。
［請求項６５］
前記第１の極性電流および前記第２の反対極性電流の連続した印加を繰り返すことを含む、請求項６３に記載の植込み型医療機器。
［請求項６６］
前記再充電フェーズの間、前記第２の反対極性電流の振幅は前記第１の極性電流の振幅より小さく、前記第２の反対極性電流の印加の持続時間は前記第１の極性電流の印加の持続時間より長い、請求項６３に記載の植込み型医療機器。
［請求項６７］
前記回路が
前記少なくとも１つの第２の刺激電極で前記刺激フェーズを実施するために、ソース刺激出力に選択的に接続可能な第１の極性電流源と、
前記少なくとも１つの第２の刺激電極で前記再充電フェーズを実施するために、前記少なくとも１つの第２の刺激電極を前記ソース刺激出力に選択的に接続可能な第２の極性の正電流源と
を含む、請求項６３に記載の植込み型医療機器。
［請求項６８］
前記第２のハウジング部分は、複数の異なるサイズの第２のハウジング部分のうちの１つを含む、請求項３２に記載の植込み型医療機器。
［請求項６９］
各異なるサイズの第２のハウジング部分が、異なるバッテリー容量に対応する、請求項６８に記載の植込み型医療機器。
［請求項７０］
各異なるサイズのハウジング部分が、前記電力要素内の異なるタイプの電源に対応する、請求項６８に記載の植込み型医療機器。
［請求項７１］
密封して収容された刺激回路と、
前記刺激回路に電力を供給し、密封して収容された電力要素と、
前記刺激回路に対して動作可能に連結されたリード線と、
前記リード線上の少なくとも１つの第２の刺激電極と第１の刺激電極とを含む刺激電極アレイと、を含む、植込み型医療機器。
［請求項７２］
前記第１の刺激電極が、前記回路要素および前記ハウジング要素のうちの少なくとも１つに関連付けられたハウジングに配置される、請求項７１に記載の植込み型医療機器。
［請求項７３］
前記第１の刺激電極は、前記リード線に配置され、前記少なくとも１つの第２の刺激電極から離間している、請求項７１に記載の植込み型医療機器。
［請求項７４］
前記それぞれの刺激回路および電力要素のそれぞれは、非導電性外面を含む、請求項７３に記載の植込み型医療機器。
［請求項７５］
少なくとも前記電力要素が、患者の体内の組織に直接露出可能な外壁を含む、請求項７１に記載の植込み型医療機器。
［請求項７６］
前記電力要素は、前記刺激回路に対して動作可能に連結可能である、請求項７１に記載の植込み型医療機器。
［請求項７７］
前記刺激回路が密封して収容される第１のハウジングと、
前記電力要素が密封して収容される第２のハウジングと、を含み、
前記第１のハウジングは前記第２のハウジングから分離され、独立している、請求項７１に記載の植込み型医療機器。
［請求項７８］
前記第１および第２のハウジングは、互いに永続的に接続されている、請求項７７に記載の植込み型医療機器。
［請求項７９］
前記第１および第２のハウジングは、互いに対して取り外し可能に接続可能である、請求項７７に記載の植込み型医療機器。
［請求項８０］
リード線が、前記少なくとも１つの第２の刺激電極を非頭頸部領域に配置しながら、前記リード線の遠位端部を頭頸部領域内に配置する長さを有する、請求項７１に記載の植込み型医療機器。
［請求項８１］
前記少なくとも１つの第２の刺激電極は、ソース刺激電極を備える、請求項７１に記載の植込み型医療機器。
［請求項８２］
前記第１の刺激電極は、リターン刺激電極を含む、請求項８１に記載の植込み型医療機器。
［請求項８３］
前記第１の刺激電極はアノードを備え、
前記少なくとも１つの第２の刺激電極はカソードを備える、請求項８２に記載の植込み型医療機器。
［請求項８４］
前記リード線は、前記第１のハウジングに対して連結された近位端部を含む、請求項７７に記載の植込み型医療機器。
［請求項８５］
前記リード線の前記近位端部は、前記回路要素に対して永続的に電気的および機械的に接続される、請求項８４に記載の植込み型医療機器。
［請求項８６］
前記リード線の前記近位端部は、前記回路要素に対して前記リード線を電気的および機械的に取り外し可能に接続するために、前記第１のハウジングのポートに対して取り外し可能に接続可能である、請求項８５に記載の植込み型医療機器。
［請求項８７］
前記第１のハウジングが、電気的および機械的接続を実施するためのフィードスルーヘッダーを省いている、請求項７７に記載の植込み型医療機器。
［請求項８８］
前記少なくとも１つの第２の刺激電極は、刺激される神経に隣接して配置可能である、請求項７１に記載の植込み型医療機器。
［請求項８９］
前記神経は、上気道開通関連神経である、請求項８８に記載の植込み型医療機器。
［請求項９０］
前記神経に刺激フェーズを適用するための、前記少なくとも１つの第２の刺激電極と前記第１の刺激電極との間の第１の極性電圧と、
前記神経に再充電フェーズを適用するための、前記少なくとも１つの第２の刺激電極と前記第１の刺激電極との間の第２の反対極性電圧と
を前記刺激回路要素が連続して適用する、請求項７１に記載の植込み型医療機器。
［請求項９１］
前記第１の極性電圧は負の電圧であって、
前記第２の反対極性電圧は正の電圧である、請求項９０に記載の植込み型医療機器。
［請求項９２］
前記第１の極性電圧および前記第２の極性電圧の連続した印加を繰り返すことを含む、請求項９０に記載の植込み型医療機器。
［請求項９３］
前記再充電フェーズにおいて、前記第２の反対極性電圧の振幅は前記第１の極性電圧の振幅より小さく、前記第２の反対極性電圧の印加の持続時間は前記第１の極性電圧の印加の持続時間より長い、請求項９２に記載の植込み型医療機器。
［請求項９４］
前記回路が、
第１のコンデンサを選択的に充電する第１の極性電源と、
第２のコンデンサを選択的に充電する第２の反対極性電源と、を含み、
前記第１のコンデンサは、前記刺激フェーズを実施するために、前記少なくとも１つの第２の電極に接続可能なソース刺激出力に対して選択的に放電され、
前記第２のコンデンサは、前記再充電フェーズを実施するために、前記少なくとも１つの第２の電極に接続可能なソース刺激出力に対して選択的に放電される、請求項９０に記載の植込み型医療機器。
［請求項９５］
刺激フェーズを引き起こすための、前記少なくとも１つの第２の刺激電極と前記第１の刺激電極との間の第１の極性電流と、
再充電フェーズを引き起こすための、前記少なくとも１つの第２の刺激電極と前記第１の刺激電極との間の第２の反対極性電流と
を前記回路が連続して印加する、請求項７１に記載の植込み型医療機器。
［請求項９６］
前記第１の極性電流および前記第２の反対極性電流の連続した印加を繰り返すことを含む、請求項９５に記載の植込み型医療機器。
［請求項９７］
前記再充電フェーズにおいて、前記第２の反対極性電流の振幅は前記第１の極性電流の振幅より小さく、前記第２の反対極性電流の印加の持続時間は前記第１の極性電流の印加の持続時間より長い、請求項９６に記載の植込み型医療機器。
［請求項９８］
前記回路が
前記少なくとも１つの第２の刺激電極で前記刺激フェーズを実施するために、ソース刺激出力に選択的に接続可能な第１の極性電流源と、
前記第１の刺激電極で前記再充電フェーズを実施するために、前記ソース刺激出力に選択的に接続可能な第２の反対極性電流源と、を含む、請求項９４に記載の植込み型医療機器。
［請求項９９］
前記植込み型医療機器が、植込み型パルス発生器を含む、請求項７１に記載の植込み型医療機器。
［請求項１００］
前記植込み型医療機器は、植込み型モニタリング要素を含む、請求項７１に記載の植込み型医療機器。
［請求項１０１］
第１の電極を有するパルス発生器を植込むこと、
前記第１の電極と少なくとも１つの第２の刺激電極との間に組織が介在する状態で、前記第１の電極から離間した前記少なくとも１つの第２の刺激電極を植込むこと、を含む方法。
［請求項１０２］
前記少なくとも１つの第２の刺激電極を、前記パルス発生器の外部に、分離するように配置すること、を含む、請求項１０１に記載の方法。
［請求項１０３］
請求項１０１の記載の方法と、
前記回路に対して動作可能に連結可能な電力要素。
［請求項１０４］
前記少なくとも１つのソース刺激電極と前記リターン刺激電極との間に第１の極性電圧を印加して、刺激フェーズを引き起こすことと、
前記少なくとも１つのソース刺激電極と前記リターン刺激電極との間に第２の反対極性電圧を印加して、再充電フェーズを引き起こすこと、を含む、請求項１０１に記載の方法。
［請求項１０５］
前記第１の極性電圧は負の電圧であって、
前記第２の反対極性電圧は正の電圧である、請求項１０４に記載の方法。
［請求項１０６］
前記第１の極性電圧と前記第２の反対極性電圧の連続した印加を繰り返すことを含む、請求項１０４に記載の方法。
［請求項１０７］
前記再充電フェーズにおいて、前記第２の反対極性電圧の振幅は前記第１の極性電圧の振幅より小さく、前記第２の反対極性電圧の印加の持続時間は前記第１の極性電圧の印加の持続時間より長い、請求項１０４に記載の方法。
［請求項１０８］
第１のコンデンサを選択的に充電する第１の極性電源であって、前記第１のコンデンサが、前記刺激フェーズを実施するために、前記少なくとも１つの第２の電極に接続可能なソース刺激出力に対して選択的に放電されるためのものと、
第２のコンデンサを選択的に充電する第２の反対極性電源であって、前記第２のコンデンサが、前記再充電フェーズを実施するために、前記少なくとも１つの第２の電極に接続可能なソース刺激出力に対して選択的に放電されるためのものと、を配置することを介して、前記回路を実現することを含む、請求項１０４に記載の方法。
［請求項１０９］
前記少なくとも１つのソース刺激電極と前記リターン刺激電極との間に第１の極性電流を印加して、刺激フェーズを引き起こすことと、
前記少なくとも１つのソース刺激電極と前記リターン刺激電極との間に第２の反対極性電流を印加して、再充電フェーズを引き起こすこと、を含む、請求項１０１に記載の方法。
［請求項１１０］
前記第１の極性電流と前記第２の反対極性電流の連続した印加を繰り返すことを含む、請求項１０１に記載の方法。
［請求項１１１］
前記再充電フェーズにおいて、前記第２の反対極性電流の振幅は前記第１の極性電流の振幅より小さく、前記第２の反対極性電流の印加の持続時間は前記第１の極性電流の印加の持続時間より長い、請求項１０９に記載の方法。
［請求項１１２］
前記少なくとも１つのソース刺激電極で前記刺激フェーズを実施するために、ソース刺激出力に選択的に接続可能な第１の極性電流源を配置することと、
前記少なくとも１つのソース刺激電極で前記再充電フェーズを実施するために、前記ソース刺激出力に選択的に接続可能な第２の反対極性電流源を配置すること、を介して前記回路を実現することを含む、請求項１０９に記載の方法。
［請求項１１３］
神経刺激の方法であって、
少なくとも１つのソース刺激電極を植込み、神経に対して動作可能に連結することと、
前記少なくとも１つのソース刺激電極から離間したリターン刺激電極を植込むことと、
前記少なくとも１つのソース刺激電極と前記リターン刺激電極との間に第１の極性電圧を印加して、刺激フェーズを前記神経に適用することと、
前記少なくとも１つのソース刺激電極と前記リターン刺激電極との間に第２の反対極性電圧を印加して、再充電フェーズを前記神経に適用すること、を含む方法。
［請求項１１４］
前記第１の極性電圧は負の電圧であって、
前記第２の反対極性電圧は正の電圧である、請求項１１３に記載の方法。
［請求項１１５］
前記第１の極性電圧と前記第２の反対極性電圧の前記連続した印加のサイクルを繰り返すことを含む、請求項１１３に記載の方法。
［請求項１１６］
前記再充電フェーズにおいて、前記第２の反対極性電圧の振幅は前記第１の極性電圧の振幅より小さく、前記第２の反対極性電圧の印加の持続時間は前記第１の極性電圧の印加の持続時間より長い、請求項１１３に記載の方法。
［請求項１１７］
第１の極性電源を選択的に使用して第１のコンデンサを充電し、前記少なくとも１つのソース刺激電極に接続可能なソース刺激出力に前記第１のコンデンサを選択的に放電することにより、前記回路要素を介して前記刺激フェーズを実施することと、
第２の反対極性電源を選択的に使用して第２のコンデンサを充電し、次に前記少なくとも１つのソース刺激電極に接続可能な前記ソース刺激出力に選択的に放電することにより、前記回路要素を介して前記再充電フェーズを実施すること、を含む、請求項１１３に記載の方法。
［請求項１１８］
植込み型パルス発生器を植込むこと、を含む、請求項１１３に記載の方法。
［請求項１１９］
前記植込み型パルス発生器の表面に前記少なくとも１つのソース刺激電極を配置すること、を含む、請求項１１８に記載の方法。
［請求項１２０］
前記植込み型パルス発生器の前記表面に前記リターン電極を配置すること、を含む、請求項１１８に記載の方法。
［請求項１２１］
密封して収容された回路要素を含むために、前記植込み型パルス発生器を配置すること、を含む、請求項１１８に記載の方法。
［請求項１２２］
前記密封して収容された回路要素とは別に密封して収容された電力要素を含むために、前記植込み型パルス発生器を配置すること、を含む、請求項１２１に記載の方法。
［請求項１２３］
前記電力要素は、前記回路要素に対して選択的に動作可能に連結可能である、請求項１２２に記載の方法。
［請求項１２４］
前記第２の反対極性電源を、電力入力を介して前記電力要素の第１の出力に電気的に接続可能なＤＣ／ＤＣコンバータの出力として配置することと、
前記第１の極性電源を、電力入力を介して、前記電力要素の第２の出力に電気的に接続可能なＤＣ／ＤＣコンバータの出力として配置すること、を含む、請求項１２３に記載の方法。
［請求項１２５］
前記回路要素は、前記回路要素の回路を密封して収容するための第１のハウジングを備え、
前記電力要素は、前記電力要素の電力部品を密封して収容するための第２のハウジングを備える、請求項１２２に記載の方法。
［請求項１２６］
前記第２のハウジングの外面に前記リターン刺激電極を配置すること、を含む、請求項１２５に記載の方法。
［請求項１２７］
前記第２のハウジングを前記電力要素の前記外壁として画定する、請求項１２６に記載の方法。
［請求項１２８］
前記外壁が患者の体内の組織に露出される、請求項１２７に記載の方法。
［請求項１２９］
神経刺激の方法であって、
少なくとも１つのソース刺激電極を植込み、神経に対して動作可能に連結することと、
前記少なくとも１つのソース刺激電極から離間したリターン刺激電極を植込むことと、
前記少なくとも１つのソース刺激電極と前記リターン刺激電極との間に第１の極性電流を印加して、刺激フェーズを前記神経に適用することと、
前記少なくとも１つのソース刺激電極と前記リターン刺激電極との間に第２の反対極性電流を印加して、再充電フェーズを前記神経に適用すること、を含む方法。
［請求項１３０］
前記第１の極性電流は負の電流であって、
前記第２の反対極性電流は正の電流である、請求項１２９に記載の方法。
［請求項１３１］
前記第１の極性電流と前記第２の反対極性電流の前記連続した印加を繰り返すこと、を含む、請求項１２９に記載の方法。
［請求項１３２］
前記再充電フェーズを適用する際に、前記第２の反対極性電流の振幅は前記第１の極性電流の振幅より小さく、前記第２の反対極性電流の印加の持続時間は前記第１の極性電流の印加の持続時間より長い、請求項１２９に記載の方法。
［請求項１３３］
第１の極性電流源を前記少なくとも１つのソース刺激電極に選択的に接続することにより、前記回路要素を介して前記刺激フェーズを実施することと、
第２の反対極性電流源を前記リターン刺激電極に選択的に接続することにより前記再充電フェーズを実施すること、を含む、請求項１２９に記載の方法。
［請求項１３４］
植込み型パルス発生器を植込むこと、を含む、請求項１３３に記載の方法。
［請求項１３５］
前記植込み型パルス発生器のハウジングに前記少なくとも１つのソース刺激電極を配置すること、を含む、請求項１３３に記載の方法。
［請求項１３６］
前記植込み型パルス発生器の前記ハウジングに前記リターン電極を配置すること、を含む、請求項１３３に記載の方法。
［請求項１３７］
密封して収容される回路要素を含むために、前記パルス発生器を配置すること、を含む、請求項１３４に記載の方法。
［請求項１３８］
前記密封して収容された回路要素とは別に密封して収容された電力要素を含むために、前記パルス発生器を配置すること、を含む、請求項１３７に記載の方法。
［請求項１３９］
前記電力要素は、前記回路要素に対して選択的に動作可能に連結可能である、請求項１３８に記載の方法。
［請求項１４０］
前記第２の反対極性電源を、電力入力を介して前記電力要素の出力に電気的に接続可能なＤＣ／ＤＣコンバータの出力として配置することと、
前記第１の極性電源を、電力入力を介して、前記電力要素の出力に電気的に接続可能なＤＣ／ＤＣコンバータの出力として配置すること、を含む、請求項１３９に記載の方法。
［請求項１４１］
前記回路要素は、前記回路要素の回路を密封して収容するための第１のハウジングを備え、
前記電力要素は、前記電力要素の電力的構成要素を密封して収容するための第２のハウジングを備える、請求項１３８に記載の方法。
［請求項１４２］
前記第２のハウジングの外面に前記リターン電極を配置すること、を含む、請求項１４１に記載の方法。
［請求項１４３］
前記第２のハウジングを前記電力要素の前記外壁として画定する、請求項１４２に記載の方法。
［請求項１４４］
前記外壁が患者の体内の組織に露出される、請求項１４３に記載の方法。
［請求項１４５］
第１の処置でパルス発生器を植込み、前記パルス発生器は、非交換可能部分と、前記非交換可能部分に対して動作可能に連結された第１の交換可能部分とを含み、
ある期間後の第２の処置で、前記非交換可能部分に対して前記第１の交換可能部分を連結解除および取り外すことと、
前記非交換可能部分に対して第２の交換可能部分を植込み、動作可能に連結すること、を含む方法。
［請求項１４６］
前記第１および第２の交換可能部分は電力要素を含む、請求項１４５に記載の方法。
［請求項１４７］
前記第２の交換可能部分は、前記第１の交換可能部分に存在しないセンサ要素を含む、請求項１４５に記載の方法。
［請求項１４８］
前記第１および第２の交換可能部分は電力要素を含む、請求項１４５に記載の方法。
［請求項１４９］
前記非交換可能部分に永続的に接続されるようにリード線を配置すること、を含む、請求項１４５に記載の方法。
［請求項１５０］
前記リード線の少なくとも１つのソース刺激電極と、前記交換可能部分および前記非交換可能部分の少なくとも１つのハウジングのリターン刺激電極とを含む刺激電極アレイを提供すること、を含む、請求項１４９に記載の方法。
［請求項１５１］
前記交換可能部分のハウジングの少なくとも１つのソース刺激電極と、前記非交換可能部分のハウジングのリターン刺激電極とを含む電極アレイを配置すること、を含む、請求項１４５に記載の方法。
［請求項１５２］
前記非交換可能部分のハウジングの少なくとも１つのソース刺激電極と、前記交換可能部分のハウジングのリターン刺激電極とを含む電極アレイを配置すること、を含む、請求項１４５に記載の方法。